(57)【要約】      （修正有）【課題】顔面から首もとにかけて日除けすることができ、しかも帽子が容易に吹き飛ばされず、更にデザイン性を損なわずに高いファッション性を併せ持った前庇付き帽子を提供する。【解決手段】帽子１０は、帽子本体１１と、係止プレートとを備える。帽子本体１１のエッジ部１７の裏面にすべりが縫い付けられており、すべりとエッジ部１７との間に係止プレートが挿通されている。バイザー１２は、連結具２２によって係止プレートに回動可能に固定されており、上下方向２１へ回動可能に構成されている。【選択図】図１
0003171180.tif 000002
【実用新案登録請求の範囲】
【請求項１】
帽子本体と、
上記帽子本体のサイドクラウンに取り付けられ、細幅帯状の弾性部材の両端が互いに近づく方向へ湾曲されて円弧状に形成された円弧状部材と、
上記円弧状部材においてその長手方向に離間した２つの支持点それぞれを中心に上下に回動可能に支持された透明又は半透明の前庇と、を備えている前庇付き帽子。
【請求項２】
上記帽子本体は、上記サイドクラウンに設けられた２つの帯部と、一方の帯部から他方の帯部に至る上記サイドクラウンのエッジから前側へ突出する突出部とを有し、
上記円弧状部材は、その両端それぞれが上記帯部に挿入され、その下端が上記突出部によって支持されることにより、上記帽子本体に取り付けられている請求項１に記載の前庇付き帽子。
【考案の詳細な説明】
【技術分野】
【０００１】
本考案は、透明又は半透明の前庇を備えた前庇付き帽子に関する。
【背景技術】
【０００２】
従来より、日焼け防止のために前庇が設けられたサンバイザーが着脱可能に構成された帽子が知られている（特許文献１及び特許文献２参照）。この従来の帽子は、クラウン部とサンバイザーとをボタンなどで連結するよう構成されている。
【先行技術文献】
【特許文献】
【０００３】
【特許文献１】実用新案登録第３１１６１０３号
【特許文献２】実用新案登録第３１２４３９７号
【考案の概要】
【考案が解決しようとする課題】
【０００４】
しかしながら、近年、顔面だけでなく首の前側も日焼けから保護するために、大きな前庇が設けられたサンバイザーが主流となっている。このサンバイザーは、着用者の視界を確保するために、その前庇が透明又は半透明の合成樹脂部材で構成されている。このようなサンバイザーが前掲の従来の帽子に設けられた場合は、テニスなどのような運動をしているときや、自転車に乗車しているときに前庇に風を受けやすい。そのため、前庇が風であおられて、帽子が頭部から容易に吹き飛ばされてしまうという問題がある。一方、帽子が容易に吹き飛ばされないようにサンバイザーのリング部分をゴムなどの弾性部材で伸縮自在にすると、サンバイザーが取り付けられたクラウン部のエッジが弾性部材の伸縮に合わせて縮むことにより、エッジに皺が生じる。この皺は、帽子のデザイン性を著しく低下させるため好ましくない。
【０００５】
そこで、本考案は、上記事情に鑑みてなされたものであり、その目的は、帽子が容易に吹き飛ばされず、しかも、デザイン性を損なわずに高いファッション性を実現することが可能な前庇付き帽子を提供することにある。
【課題を解決するための手段】
【０００６】
(1)  本考案は、帽子本体と、上記帽子本体のサイドクラウンに取り付けられ、細幅板状の弾性部材の両端が互いに近づく方向へ湾曲されて円弧状に形成された円弧状部材と、上記円弧状部材においてその長手方向に離間した２つの支持点それぞれを中心に上下に回動可能に支持された透明又は半透明の前庇と、を備えている前庇付き帽子である。
【０００７】
このように構成されているため、帽子が頭部に着用されたときに円弧状部材が頭部を強く挟み持つように装着されるため、顔面だけでなく首の前側をも覆うように前庇が大きく形成されたものであっても、帽子が容易に外れることはない。また、円弧状部材は板状の弾性部材で構成されているため、その長手方向に伸縮しない。したがって、帽子本体のクラウンのエッジに皺ができないため、デザイン性が損なわれない。その結果、高いファッション性を有する前庇付帽子を実現することができる。
(2)  上記帽子本体は、上記サイドクラウンに設けられた２つの帯部と、一方の帯部から他方の帯部に至る上記サイドクラウンのエッジから突出する突出部とを有するものが好ましい。この場合、上記円弧状部材は、その両端それぞれが上記帯部に挿入され、その下端が上記突出部によって支持されることにより、上記帽子本体に取り付けられている。
【０００８】
このように構成されているため、前庇が不要な場合は、円弧状部材とともに前庇を帽子本体から取り外すことができるし、前庇が必要な場合は、前庇を容易に帽子本体に取り付けることができる。また、上記突出部が庇の役割をするため、前庇が取り外された場合でも、顔面を紫外線から保護することが可能である。
【考案の効果】
【０００９】
このように本考案が構成されているため、帽子が容易に吹き飛ばされない。しかも、デザイン性が損なわれないため、高いファッション性を備えた前庇付き帽子を実現することができる。
【図面の簡単な説明】
【００１０】
【図１】図１は、本考案の実施例１の帽子１０の外観を模式的に示す斜視図である。
【図２】図２は、帽子１０の裏側を模式的に示す斜視図
【図３】図３は、本考案の実施例２の帽子３０の外観を模式的に示す斜視図である。
【考案を実施するための形態】
【００１１】
［実施例１］
以下、図１及び図２を参照して本考案の実施例１の帽子１０（本考案の前庇付き帽子の一例）について説明する。図１に示されるように、本考案の帽子１０は、帽子本体１１（本考案の帽子本体の一例）とバイザー１２（本考案の前庇の一例）とを備えている。帽子本体１１は、一般にクラウンと称される部位であり、着用者の頭部の頂部から側部を覆い隠して頭部を遮光するものであり、概ねすり鉢状に形成されている。本実施例では、帽子本体１１は、藁又は藁タイプの紐を編みこんで形成されており、通気性のよい構造となっている。もちろん、帽子本体１１はこのような構造に限られず、麻やナイロン、木綿などの布で形成されていてもよい。
【００１２】
図２に示されるように、帽子本体１１には、着用者の頭部を挟むようにして帽子本体１１を頭部に係止させるための係止プレート１４（本考案の円弧状部材の一例）が取り付けられている。係止プレート１４は、細幅で板状に形成された合成樹脂製の弾性部材で形成されている。この係止プレート１４は、上記弾性部材の長手方向の両端が互いに近づく方向（図２の矢印１９で示すの方向）へ湾曲されて円弧形状となった姿勢を保持するように形成されたものである。
【００１３】
係止プレート１４は、帽子本体１１の側部であるサイドクラウン１６のエッジ部１７の前方側（バイザー１２が取り付けられている側）に取り付けられている。エッジ部１７の裏面には布製の帯状のすべり（サイズリボンとも称される。）１８が縫い付けられている。詳細には、すべり１８の上下端部がエッジ部１７の裏面に縫い付けられている。そのため、すべり１８とエッジ部１７との間には、すべり１８の長手方向に細長い袋状の空間が形成される。このすべり１８とエッジ部１７との間に形成された袋状の空間に係止プレート１４が挿通されている。係止プレート１４は、その両端がエッジ部１７の後方側（バイザー１２が取り付けられていない側）に向くように取り付けられている。
【００１４】
バイザー１２は、着用者の顔面や首などを紫外線から保護するためのものであり、合成樹脂で形成された透明又は半透明の板部材で構成されている。バイザー１２は、日焼けの原因である紫外線を通さない所謂ＵＶカット機能を有する素材で形成されている。バイザー１２は、係止プレート１４に回動可能に取り付けられている。より詳細には、バイザー１２は、係止プレート１４に固定された二つの連結具２２を介してサイドクラウン１６のエッジ部１７に取り付けられている。二つの連結具２２は、それぞれ、係止プレート１４の長手方向に離間した位置に固定されている。連結具２２は、係止プレート１４の裏側に設けられた固定具（不図示）と、エッジ部１７の表側に設けられた保持具２２Ａと、係止プレート１４を貫通する支軸（不図示）とを有し、上記支軸の両側から上記固定具と保持部２２Ａとが係止プレート１４を挟むようにして係止プレート１４に固定されている。本実施例では、バイザー１２の後方端部１３が上記支軸に挿通されており、後方端部１３は上記固定具と保持部２２Ａとによって挟持されている。このため、バイザー１２は、上記支軸を回動支点として上下方向（図１の矢印２１で示す方向）に上下動可能となっている。なお、図１の（Ａ）は、バイザー１２が下方へ回動された姿勢を示し、図１の（Ｂ）は、バイザー１２が上方へ回動された姿勢を示す。バイザー１２の支持機構は、上述の構造に限られず、上下方向へ回動可能な機構であればどのような構成であっても適用可能である。
【００１５】
本実施例では、バイザー１２は半透明又は透明なので、着用者の視界を遮らない。そのため、バイザー１２は、顔面全体を覆い隠す程度の大きさに形成されている。もちろん、顔面全体だけでなく、首もとを覆う大きさに形成されていてもよい。また、図示されていないが、着用者の首の後ろ側を遮光するスカート状のカバーが帽子本体１１に面ファスナーやボタンなどの取付具によって着脱可能に設けられていてもよい。
【００１６】
このように帽子１０を着用者が頭部に装着する場合、着用者は、係止プレート１４の弾性力に抗してその両端を図２の矢印２０で示す外側へ広げつつ、帽子１０を頭部に装着する。装着後は、係止プレート１４が元の状態に戻ろうとするため、この戻ろうとする力によって、サイドクラウン１６のエッジ部１７が頭部を強く挟み持つ。このため、帽子１０が頭部にしっかりと固定される。その結果、バイザー１２が風などによってあおられたとしても帽子１０が容易に吹き飛ばされない。また、係止プレート１４が矢印１９或いは矢印２０に示す方向へ変化されても、サイドクラウン１６のエッジ部１７に皺ができないため、帽子本体１１のデザイン性が損なわれることない。このため、高いファッション性を実現することができる。
【００１７】
［実施例２］
以下、図３を参照して本考案の実施例２の帽子３０（本考案の前庇付き帽子の一例）について説明する。なお、上述の帽子１０の構成要素と同じ構成要素については、帽子１０の構成要素と同じ番号の符号を付し示すことにより、その詳細な説明を省略する。
【００１８】
図３に示されるように、帽子３０は、エッジ部１７に係止プレート１４が取り付けられておらず、係止プレート１４は、後述するように帽子本体１１とは独立している。サイドクラウン１６のエッジ部１７には、２つの帯部３１（本考案の帯部の一例）が設けられている。帯部３１は、係止プレート１４の両端を支持するためのものである。そのため、帯部３１は、エッジ部１７の表面との間で係止プレート１４を挿通可能なサイズの環状の隙間３２を形成するようにエッジ部１７の表面に縫い付けられている。二つの帯部３１は、それぞれ、頭部の両サイドに対応する位置に設けられている。また、帽子本体１１の前方側には、エッジ部１７から突出する短い庇部３２（本考案の突出部の一例）が設けられている。
【００１９】
図３（Ｂ）に示されるように、係止プレート１４は、帽子本体１１とは独立している。バイザー１２は、係止プレート１４に二つの連結具２２を介して上下方向へ回動可能に支持されている。
【００２０】
このように帽子３０が構成されているため、着用者は、バイザー１２が必要な場合は、係止プレート１４の両端それぞれを帯部３１に挿入し、係止プレート１４の前方側の下端を庇部３２の上部に配置させるようにして、帽子本体１１に取り付けることができる。この場合、係止プレート１４は、帯部３１に挿通されて支持されているので、係止プレート１４が変形されてもエッジ部１７に皺ができないため、帽子本体１１のデザイン性が損なわれることはない。このため、高いファッション性を実現することができる。もちろん、係止プレート１４によって帽子１０が頭部にしっかりと固定されるため、バイザー１２が風などによってあおられたとしても帽子１０が容易に吹き飛ばされない。また、バイザー１２が不要な場合は、帽子本体１１から係止プレート１４とともにバイザー１２を取り外して、帽子本体１１のみで使用することもできるし、また、バイザー１２のみで使用することもできる。
【００２１】
上述した各実施例は本考案が具体化された単なる一例であり、本考案はその要旨を越えない範囲で適宜変更することにより、その他の形態でも実施可能である。
【符号の説明】
【００２２】
１０・・・帽子
１１・・・帽子本体
１２・・・バイザー
１３・・・後方端部
１４・・・係止プレート
１６・・・サイドクラウン
１７・・・エッジ部
１８・・・すべり
１９〜２１・・・矢印
２２・・・連結具
３０・・・帽子
３１・・・帯部
３２・・・隙間
３３・・・庇部
【図１】
0003171180.tif 000003
【図２】
0003171180.tif 000004
【図３】
0003171180.tif 000005